Podtech/llm-jp-corpus-v4-ja_patent huggingface dataset:
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
選別室と、前記選別室の下方に位置する空気室とを備え、混合プラスチック粒子から所望のプラスチック粒子を比重差を利用して水の脈動により選別する選択湿式比重選別機であって、
前記所望のプラスチック粒子に気泡を付着させて当該プラスチック粒子の比重を強制的に変えることにより、プラスチック粒子の選別を行うように構成されていることを特徴とする選別機。
【請求項２】
プラスチック粒子に気泡を付着させるための気泡発生装置を備えていることを特徴とする請求項１に記載の選別機。
【請求項３】
前記気泡発生装置に界面活性剤又は湿潤剤が添加されるように構成されていることを特徴とする請求項２に記載の選別機。
【手続補正２】
【補正対象書類名】明細書
【補正対象項目名】００１７
【補正方法】変更
【補正の内容】
【００１７】
本発明の選択湿式比重選別機では、選別機の前段に気泡発生装置を設置し、選別対象物に水中で微小粒気泡を接触させ、軽い比重の選別対象物（すなわち、軽比重プラスチック）に選択的に気泡を付着させる前処理を行って、当該選別対象物の見掛け比重を強制的に変化させる。また、前処理において、重い比重の選別対象物（すなわち、重比重プラスチック）の水に対するぬれ性を良くする界面活性剤又は湿潤剤を添加することにより、軽い比重の選別対象物との見掛け比重の差を一層差別化し、比重差の小さい混合プラスチック粒子の選別精度を向上させる。
【手続補正３】
【補正対象書類名】明細書
【補正対象項目名】００１８
【補正方法】変更
【補正の内容】
【００１８】
図６は、本発明の選択湿式比重選別機１の構造を説明するための図である。選択湿式比重選別機１は、選別対象物ＦＰを投入する側に配置された気泡発生室２と、気泡発生室２が連結された選別機本体３とを備えている。選別機本体３は、図６では１槽式のものとして示されているが、多槽式のものでもよい。気泡発生室２には、微小粒気泡を発生させる気泡発生エレメント５が気泡発生エレメント枠４によって固定されている。選別機本体３では、空気の入排気を調整する空気分岐管６を介して加圧空気１２を入排気し、脈動空気室７において水位と空気の境界の気室内液位８を調整しつつ、脈動する加圧空気１２により上下方向の脈動流９を生じさせる。なお、破砕プラスチック等の選別対象物ＦＰを脈動空気室７の下方に沈降させずに選別対象物ＦＰに安定した脈動流を与えるために、網１０が設置されている。例えば、選別対象物ＦＰが混合プラスチック粒子である場合には、選別機本体３において見掛け比重の重いプラスチックＨＭと見掛け比重の軽いプラスチックＬＭに選別される。そして、プラスチックＨＭは、定量調整の排出装置１１から回収され、プラスチックＬＭは、選択比重選別機１の選択水１３とともに排出される。気泡発生室２に取り付けられた気泡発生エレメント５には、気泡空気ブロワ１４および気泡調整弁１５により、定量空気が連続的又は間欠的に供給される。
【手続補正４】
【補正対象書類名】明細書
【補正対象項目名】００１９
【補正方法】変更
【補正の内容】
【００１９】
図７に示される選択湿式比重選別機１では、前工程を実施する装置が独立して設けられている。すなわち、攪拌機２１が付いたコンディショナー２０により、選別対象物ＦＰの水に対するねれ性を向上させるように構成されている。また、スラリーポンプ２２を設け、選別対象物ＦＰを管内で流送させて更にねれ性を良好にした後、空気圧送ポンプ２４を用いて加圧空気ＣＡをミキサー２３に圧入させながら空気と接触させることにより、選別対象物ＦＰに微小粒気泡ｅを付着させる。ミキサー２３には気泡発生エレメント５が入っており、微小粒気泡ｅと強制的に接触させるようになっている。また、ミキサー２３は、選別機本体３の胴体に設置されることもある。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
選別室と、前記選別室の下方に位置する空気室とを備え、混合プラスチック粒子から所望のプラスチック粒子を比重差を利用して水の脈動により選別する湿式比重選別機であって、
前記混合プラスチック粒子の中の比重の最も重いプラスチック粒子の水中での流動化開始速度に実質的に等しい速度で脈動水を上昇させるように構成されていることを特徴とする選別機。
【請求項２】
脈動水の上昇速度を測定するための液位計と、前記空気室への入気度を制御するための入気制御弁と、前記液位計で測定された上昇速度に応じて前記入気制御弁の開閉度を調整するための上昇速度演算機能制御器とを備えていることを特徴とする請求項１に記載の選別機。
【請求項３】
空気量を微調整するための入気微調整制御弁を更に備えていることを特徴とする請求項２に記載の選別機。
【手続補正２】
【補正対象書類名】明細書
【補正対象項目名】００１８
【補正方法】変更
【補正の内容】
【００１８】
選別対象物の比重が異なることに着目し、脈動する水中で選別対象物を選別しようとする場合、既存の湿式比重選別機では、低比重で細粒な粒子を選別するのに適した脈動波形を与えることが困難であった。本発明の湿式比重選別機では、最良の分離成績が得られる最適脈動条件を容易に見い出し、かつ、その脈動波形条件を高精度で制御することができるので、従来は選別が困難であった比重範囲および比重差の試料についても、選別することができる。
【手続補正３】
【補正対象書類名】明細書
【補正対象項目名】００１９
【補正方法】変更
【補正の内容】
【００１９】
本発明は、低比重帯域の物質相互の選別（例えば、種々のプラスチックの選別）に適用されることが多い。図７は、網下気室型湿式比重選別機２における脈動空気の入排気の制御を説明するための図である。図７の網下気室型湿式比重選別機２では、入気制御弁１０と排気制御弁９は完全に独立している。加圧空気１２を定圧状態にして送るためのレシーバタンク１７および加圧空気１２を供給する空気ブロワ１８により、入気制御弁１０を介して、網下気室型湿式比重選別機２の気室３に空気が送られる。
【手続補正４】
【補正対象書類名】明細書
【補正対象項目名】００２０
【補正方法】変更
【補正の内容】
【００２０】
水位５又は水中で水の動作を測定する液位計１５からの信号が、上昇速度演算機能制御器１４に速度のデータ信号として与えられる。入気制御弁１０と排気制御弁９により入気量と排気量をそれぞれ調整し、制御された水の脈動波形を生じさせることにより、選別対象物の混合プラスチック粒子１に上下方向の脈動を与える。網下気室型湿式比重選別機２は、混合プラスチック粒子１のうちの最も比重の重いプラスチック粒子の流動化開始点の流速（既知）の上昇流を脈動水に生じさせられるように、上昇速度演算機能制御器１４に組み込まれたプログラムによって入気制御弁１０の弁開度を調整することができるように構成されており、これにより最適上昇流を得ることができる。
【手続補正５】
【補正対象書類名】明細書
【補正対象項目名】００２１
【補正方法】変更
【補正の内容】
【００２１】
図７に示される網下気室型湿式比重選別機２は、網の下に位置する気室３を備えており、気室３において脈動空気と水の境界面４が、加圧空気の入排気に伴って移動し、それに連動して選別室６内の水が上下動するように構成されている。このような脈動空気の入排気は、加圧空気がレシーバタンク１７から定圧状態で分岐管８を経て脈動取水口７から入排気することによって行われる。網下気室型湿式比重選別機２では、混合プラスチック粒子１が選別機２の端部から供給され、水の脈動による上下動を受けながら比重差により成層分離される。そして、比重が最も重いプラスチック粒子が排出装置１６から定量的に排出され、比重が最も軽いプラスチック粒子がオーバーフロープラスチック２０として排出される。
【手続補正６】
【補正対象書類名】明細書
【補正対象項目名】００２２
【補正方法】変更
【補正の内容】
【００２２】
図８は、図７に示される選別システムとは異なる入排気方法を用いた選別システムを示している。図８に示される網下気室型湿式比重選別機２では、入気制御弁１０および入気微調整制御弁１１が配置されており、例えば、最適上昇速度が未知であっても、入気制御弁１０が定量の加圧空気を気室３に送り、入気微調整制御弁１１によって空気量を微調整することにより、最適上昇速度を検知するように構成されている。比重の最も重い物質１９の最適な流動化開始速度は一般的には、大凡予測することはできるものの、正確には把握することができない場合が多い。したがって、入気微調整制御弁１１を設けて、脈動水上昇速度を微調整し、比重の最も重い物質１９の流動化開始点を見い出すことは重要である。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
遊技機ホールのパチンコ機用島設備に設置される外枠と、その外枠の前側にヒンジ機構によって開閉可能に装着された合成樹脂製の本体枠と、その本体枠の略中央部に装着されかつ機械式図柄回転装置を有する遊技ユニットと、前記本体枠の前側に開閉可能に装着されかつ前記機械式図柄回転装置を透視可能な開口窓を有する開閉扉と、遊技機の前側に設けられかつ多数個のパチンコ球を保留する球受け皿と、を備え、
遊技機の前側には、前記球受け皿に保留されているパチンコ球を所定数投入する球投入ボタンと、前記機械式図柄回転装置の複数の図柄表示回転体の回転を始動する始動レバーと、前記機械式図柄回転装置の複数の図柄表示回転体の回転をそれぞれ個別に停止させる複数のストップボタンと、がそれぞれ手動操作可能に配置され、
前記開閉扉の開口窓を透して視認される表示部に前記複数の図柄表示回転体が予め設定された当たり図柄列を表示して停止したときに所定数のパチンコ球が球払出装置によって前記球受け皿に払い出されるように構成された遊技機であって、
前記本体枠の略中央部には、前記遊技ユニットが装着される遊技ユニット装着部が前記パチンコ機用島設備に設置可能な奥行き寸法の範囲内で後方に突出されて一体成形され、
前記本体枠の後側には、前記遊技ユニット装着部の上に位置してタンク装着部とタンクレール装着部が上下に隣接して横長状に凹設され、前記遊技ユニット装着部の片側には、球払出装置装着部が縦長状に凹設され、
前記タンク装着部には、前記パチンコ機用島設備のパチンコ供給口から供給されるパチンコ球を受けてそのパチンコ球を貯留する球タンクが装着され、
前記タンクレール装着部には、前記球タンクの下方に連通するタンクレールが装着され、
前記球払出装置装着部には、前記タンクレールの下流端に連通する球通路を有する球払出装置が装着され、
前記球タンク、前記レール構成部材及び前記球払出装置の装着状態において、それぞれの後端が前記遊技ユニット装着部の後端から後方に突出されることがないように設定され、
しかも、前記遊技ユニットは、回転体収納フレーム内に回転可能に装着されかつ円形リールよりなる複数の図柄表示回転体が横方向に配列されて構成された機械式図柄回転装置と、
前記回転体収納フレームの外側に装着され、かつ前記機械式図柄回転装置を制御する制御基板を有する制御基板ボックスと、を備えて一つにユニット化され、
前記本体枠の遊技ユニット装着部の前側から前記遊技ユニットが装着された状態において、遊技機の最後端位置が前記遊技ユニット装着部の後端又はその近傍に存在するように設定されていることを特徴とする遊技機。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
遊技機ホールのパチンコ機用島設備に設置される外枠と、その外枠の前側にヒンジ機構によって開閉可能に装着された合成樹脂製の本体枠と、その本体枠の略中央部に装着されかつ機械式図柄回転装置を有する遊技ユニットと、前記本体枠の前側に開閉可能に装着されかつ前記機械式図柄回転装置を透視可能な開口窓を有する開閉扉と、遊技機の前側に設けられかつ多数個のパチンコ球を保留する球受け皿と、を備え、
遊技機の前側には、前記球受け皿に保留されているパチンコ球を所定数投入する球投入ボタンと、前記機械式図柄回転装置の複数の図柄表示回転体の回転を始動する始動レバーと、前記機械式図柄回転装置の複数の図柄表示回転体の回転をそれぞれ個別に停止させる複数のストップボタンと、がそれぞれ手動操作可能に配置され、
前記開閉扉の開口窓を透して視認される表示部に前記複数の図柄表示回転体が予め設定された当たり図柄列を表示して停止したときに所定数のパチンコ球が球払出装置によって前記球受け皿に払い出されるように構成され、
前記遊技ユニットは、回転体収納フレーム内に回転可能に装着されかつ円形リールよりなる複数の図柄表示回転体が横方向に配列されて構成された機械式図柄回転装置と、
前記機械式図柄回転装置を制御する制御基板を有する制御基板ボックスと、を備えてユニット化されて構成された遊技機において、
前記合成樹脂製本体枠は、その略中央部に、前記遊技ユニットが前方から装着される遊技ユニット装着部が前記パチンコ機用島設備に設置可能な奥行き寸法の範囲内で後方に突出されて一体成形され、
その後側の前記遊技ユニット装着部の上に、前記パチンコ機用島設備のパチンコ供給口から供給されるパチンコ球を受けてそのパチンコ球を貯留する球タンクを装着するタンク装着部と、前記球タンクの下方に連通するタンクレールを装着するタンクレール装着部とが一体成形によって凹設され、
その後側の前記遊技ユニット装着部の片側に、前記タンクレールの下流端に連通する球通路を有する球払出装置を装着するための縦長状に凹んだ球払出装置装着部が一体成形によって凹設され、
前記球タンク、前記タンクレール及び前記球払出装置が前記各装着部に装着された状態において、それぞれの装置、部材の後端が前記遊技ユニット装着部の後端から後方に突出されることがないように設定され、
しかも、前記遊技ユニット装着部の前側から前記遊技ユニットが装着された状態において、遊技機の最後端位置が前記遊技ユニット装着部の後端又はその近傍に存在するように前記遊技ユニット装着部が一体成形されていることを特徴とする遊技機における合成樹脂製本体枠。
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
複数種類の図柄が外周面に沿って表示された複数のリールと、
これら複数のリールを回転させる回転駆動手段と、
回転する各リールの外周面を遊技者に表示するとともに、各リールの回転が停止したときにリール毎に停止図柄を表示する表示窓と、
遊技者の操作により、前記回転駆動手段を駆動して前記複数のリールを回転させる回転開始手段と、
複数の入賞役が設定された入賞役設定手段と、
遊技者が前記回転開始手段を操作したときに、前記入賞役設定手段に設定されている複数の入賞役の中から所定の入賞役を選択するか、ハズレを選択する入賞役選択手段と、
各リールに対応して設けられており、遊技者の操作により、対応するリールの回転を停止させる複数の回転停止手段と、
前記入賞役選択手段により前記所定の入賞役が選択されている場合に、所定の回転停止手段を操作したタイミングと、前記所定の入賞役を構成する入賞図柄が前記表示窓に表示されるタイミングとがずれている場合でも、そのずれ量が所定数の図柄分の範囲内である場合は、前記入賞図柄が前記表示窓に表示されるように引き込み制御する制御手段と、
前記入賞役選択手段により選択された入賞役を構成する図柄と、前記回転停止手段の操作により各リールの回転が停止したときに前記表示窓に表示されている停止図柄とが一致したときに、前記選択された入賞役に対して設定された数の賞媒体を払出す払出手段とを備えた回胴式遊技機において、
リールが回転している場合に所定の図柄が前記表示窓に表示されてから次の図柄が表示されるまでの間隔を１コマとした場合に、前記制御手段が、全リールに対してそれぞれ前記引き込み制御を実行するとした場合の各引き込み制御において引き込み可能な図柄に対する引き込みコマ数の合計である総コマ数が格納された格納手段と、
前記制御手段が所定のリールに対して前記引き込み制御を実行するときに、その引き込み制御において引き込まれる予定の図柄に対する引き込みコマ数を計数する計数手段と、
前記格納手段に格納されている前記総コマ数から、前記計数手段により計数された前記引き込みコマ数を減算する減算手段と、
この減算手段の減算結果が負の数値でない場合に、前記所定のリールに対して、前記計数手段により計数された引き込みコマ数の引き込み制御を実行することを決定する決定手段と、
を備えたことを特徴とする回胴式遊技機。
【手続補正書】
【提出日】平成20年5月14日(2008.5.14)
【手続補正１】
【補正対象書類名】明細書
【補正対象項目名】００１２
【補正方法】変更
【補正の内容】
【００１２】
主軸４は被支持部４ｄにおいて軸受９に挿通支持されている。図１，図３に示すように、被支持部４ｄには油孔４ａが、外周面側端部が油溝９ｂに対向する位置に開口し、他端が主軸４内に設けられた通孔４ｂに開口するよう穿設されている。また、主軸４と主軸４に連結される各機構（図示せず）との連結部分において、通孔４ｂより分岐して主軸４の外周面に開口する複数の油孔４ｃ・・・が適宜設けられている。
【手続補正２】
【補正対象書類名】明細書
【補正対象項目名】００１７
【補正方法】変更
【補正の内容】
【００１７】
１          機枠
１ａ        隔壁
１ｂ        軸受支持孔
１ｃ        固定孔
１ｄ        流通孔
３          オイルパン
４          主軸
４ａ        油孔
４ｂ        通孔
４ｃ        油孔
５          ポンプ
５ａ        ウォームホイール
７          油窓
８          油受け皿
８ａ        油孔
８ｂ        貫通孔
９          軸受
９ａ        上側部材
９ａａ      下側部材
９ｂ        油溝
９ｃ        排出孔
９ｄ        導油孔
１０        導油管
１１        継手
１２        継手ネジ
１３        継手
１４        継手ネジ
１８        排出管
１９        噴油管
１９ａ      噴油口
【手続補正書】
【提出日】平成20年5月21日(2008.5.21)
【手続補正１】
【補正対象書類名】明細書
【補正対象項目名】０００４
【補正方法】変更
【補正の内容】
【０００４】
上記した従来構成は、内側層として、強化繊維群を竿の円周方向に沿って引き揃えたプリプレグをシート状に裁断して構成した第１メインパターンを巻回して構成し、中間層として、強化繊維群を竿の軸線方向に沿って引き揃えたプリプレグをシート状に裁断して構成した３枚のメインパターンを巻回して構成し、外側層として、強化繊維群を円周方向に引き揃えたプリプレグをテープ状に裁断して構成したスリットテープを竿体の全長に相当する長さに亘って螺旋状に巻回して構成し、これら、内側層、中間層、外側層によって、釣り竿を構成するものがあった。
しかし、このものでは、強化繊維の方向が軸線方向、或いは、円周方向にのみ配置されているだけであるので、これらの竿体を振出竿に形成した場合に、合わせ部において強度不足を生じることがあった。
つまり、振出竿では、竿先側竿体を竿尻側竿体より引き出した状態で、竿先側竿体の竿尻端部の外周面を竿尻側竿体の竿先端部の内周面に圧接させて、竿先側竿体の伸長状態を維持する構成を採っている。この場合に、互いに圧接状態となる竿先側竿体の竿尻端部の外周面と竿尻側竿体の竿先端部の内周面とを合わせ部と称する。
ここに、合わせ部が、その合わせ部に配置された強化繊維が軸芯方向、或いは、円周方向のみに配置されているだけのプリプレグで形成されている場合には、竿の軸線方向に対して傾斜する方向から作用する剪断力に対して十分な強度を発揮できない場合があり、合わせ部での樹脂の剥離や、割れ、亀裂の発生が見られることがあった。
【手続補正２】
【補正対象書類名】明細書
【補正対象項目名】００３４
【補正方法】変更
【補正の内容】
【００３４】
ここに、重合体６Ａと補助パターン６Ｂとの配置状態について説明する。つまり、内側に位置する重合体６Ａは、合わせ部Ｂの長さに相当する長さで配置される。これに対して、補助パターン６Ｂについては、重合体６Ａより短く、かつ、竿先側に寄った位置に配置されている。このように、重合体６Ａを合わせ部Ｂに相当する長さで設置していても、合わせ部Ｂの長さよりも短くしてあるので、竿先側竿体を竿尻側竿体より引き出し操作した場合に、重合体６Ａと補助パターン６Ｂの竿先端が竿尻側竿体の竿先端よりは突出することはなく、美観の向上を図ることができる。
しかも、重合体６Ａを合わせ部Ｂの竿先側の肩部分に設けてあるので、この部分の強度を向上させることができ、竿先側竿体の合わせ部Ｂにおける竿先側端近傍に発生する「際折れ」と言われている竿の折損を回避できる。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
穀稈を刈り取り脱穀装置（６）側に搬送する前処理部（８）を設け、上記脱穀装置（６）に、扱胴（１２）により脱穀された後の処理物の選別を行う選別装置（１０）を設け、該選別装置（１０）が、選別能力の調節が可能に構成されたコンバインにおいて、上記選別装置（１０）が、前処理部（８）の駆動速度に連動して、自動的に選別能力の調節が行われるように構成されたコンバインにおける選別装置。
【請求項２】
穀稈を刈り取り脱穀装置（６）側に搬送する前処理部（８）を設け、前処理部（８）の駆動速度を走行速度に対して所定の比率で追従させる標準速度追従手段と、前処理部（８）を上記標準速度追従手段によって設定される速度より高速駆動する比率で走行速度に対して追従させる高速速度追従手段とを設け、上記脱穀装置（６）に、扱胴（１２）により脱穀された後の処理物の選別を行う選別装置（１０）を設け、該選別装置（１０）が、選別能力の調節が可能に構成されたコンバインにおいて、上記選別装置（１０）を、高速速度追従手段によって前処理部（８）が駆動されている場合に、標準速度追従手段によって前処理部（８）が駆動されている場合と比較して選別能力が上がるように構成したコンバインにおける選別装置。
【手続補正２】
【補正対象書類名】明細書
【補正対象項目名】０００８
【補正方法】変更
【補正の内容】
【０００８】
第２に、穀稈を刈り取り脱穀装置６側に搬送する前処理部８を設け、前処理部８の駆動速度を走行速度に対して所定の比率で追従させる標準速度追従手段と、前処理部８を上記標準速度追従手段によって設定される速度より高速駆動する比率で走行速度に対して追従させる高速速度追従手段とを設け、上記脱穀装置６に、扱胴１２により脱穀された後の処理物の選別を行う選別装置１０を設け、該選別装置１０が、選別能力の調節が可能に構成されたコンバインにおいて、上記選別装置１０を、高速速度追従手段によって前処理部８が駆動されている場合に、標準速度追従手段によって前処理部８が駆動されている場合と比較して選別能力が上がるように構成したしたことを特徴としている。
【手続補正３】
【補正対象書類名】明細書
【補正対象項目名】０００９
【補正方法】変更
【補正の内容】
【０００９】
請求項１の発明の構造によると、標準的な刈取り脱穀作業時において、コンバインの走行速度に追従する前処理部の駆動速度に対して選別装置の選別能力が自動調節され、上記標準的な刈取り脱穀作業において刈取り処理量に応じた処理物の選別能力が自動的に確保されるという効果がある。請求項２の発明の構造によると、例えば倒伏穀稈の刈り取り作業時において、前処理部の駆動速度が、上記通常の刈取り脱穀作業における駆動速度に比較して大きく設定され、脱穀装置側での脱穀処理量が増加した場合でも、脱穀処理量に対応した処理物の選別能力が自動的に確保され、様々な作業ケースで円滑な脱穀作業を行うことができるという効果がある。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
入力端子と、出力端子を備え、前記入力端子に直流電源を接続し、充放電制御回路を介して直列、または直並列に接続された複数の蓄電素子を充電し、必要時に前記蓄電素子から前記充放電制御回路を介して前記出力端子に電圧を出力する蓄電装置であって、前記充放電制御回路は、充電電流を制限する充電素子と、放電電流を制限する放電素子と、前記蓄電素子に流れる前記充電電流を検出する充電電流検出手段と、前記蓄電素子に加えられる電圧を検出する電圧検出手段とからなり、前記電圧検出手段により前記いずれかの蓄電素子の端子間電圧が設定された基準電圧を超えたとき、前記直流電源からの前記充電電流を前記充電素子により停止もしくは制限するように構成されているとともに、充電初期は前記蓄電素子の内部抵抗により発生するピーク電圧より高い前記基準電圧を設定しておき、前記充電電流がしきい値を下回ったときに前記基準電圧が下がるようにしたことを特徴とする蓄電装置。
【請求項２】
前記充電電流に替わって、充電開始から充電完了までの時間により前記基準電圧が下がるようにしたことを特徴とする請求項１に記載の蓄電装置。
【請求項３】
充電中に充電を一時停止させ、その充電停止前後の蓄電素子電圧の差から前記ピーク電圧を求めるようにしたことを特徴とする請求項１に記載の蓄電装置。
【請求項４】
前記充放電回路内に、前記基準電圧を超えたときに異常信号が出力されるように異常信号発生回路を設けたことを特徴とする請求項１に記載の蓄電装置。
【請求項５】
前記蓄電素子を電気二重層コンデンサで構成するとともに、前記基準電圧を超えたときに前記蓄電素子全体が放電するように構成されていることを特徴とする請求項１に記載の蓄電装置。
【手続補正２】
【補正対象書類名】明細書
【補正対象項目名】０００５
【補正方法】変更
【補正の内容】
【０００５】
ここで、検出電圧が下限電圧値を下回ると、充放電制限スイッチ２２ により放電が制限され、検出電圧が上限電圧値を上回ると、充放電制限スイッチ２２により充電が制限されるように構成されている。
【手続補正３】
【補正対象書類名】明細書
【補正対象項目名】０００７
【補正方法】変更
【補正の内容】
【０００７】
しかしながら、上記従来の構成では、蓄電素子２１の内部抵抗が増加し、また抵抗値のバラツキも大きくなる０℃以下のような低温時に、一つの蓄電素子だけ内部抵抗が他の蓄電素子と比べて極端に大きくなった場合、その蓄電素子には、容量の逆比によって分圧される電圧に加えて、蓄電素子の内部抵抗と充電電流の積で発生する電圧が印加されるため、電圧が集中してすぐに設定された基準電圧源２７の電圧に達してしまい、その度毎に充電電流が制限されて充電に時間がかかってしまうものであった。
【手続補正４】
【補正対象書類名】明細書
【補正対象項目名】００１０
【補正方法】変更
【補正の内容】
【００１０】
上記目的を達成するために本発明は、入力端子と、出力端子を備え、前記入力端子に直流電源を接続し、充放電制御回路を介して直列、または直並列に接続された複数の蓄電素子を充電し、必要時に前記蓄電素子から前記充放電制御回路を介して前記出力端子に電圧を出力する蓄電装置であって、前記充放電制御回路は、充電電流を制限する充電素子と、放電電流を制限する放電素子と、前記蓄電素子に流れる前記充電電流を検出する充電電流検出手段と、前記蓄電素子に加えられる電圧を検出する電圧検出手段とからなり、前記電圧検出手段により前記いずれかの蓄電素子の端子間電圧が設定された基準電圧を超えたとき、前記直流電源からの前記充電電流を前記充電素子により停止もしくは制限するように構成されているとともに、充電初期は前記蓄電素子の内部抵抗により発生するピーク電圧より高い前記基準電圧を設定しておき、前記充電電流がしきい値を下回ったときに前記基準電圧が下がるようにしたことを特徴とする蓄電装置である。
【手続補正５】
【補正対象書類名】明細書
【補正対象項目名】００１５
【補正方法】変更
【補正の内容】
【００１５】
なお、電圧検出手段１１は各蓄電素子１の端子間電圧を検出してもよいし、複数の蓄電素子１をグループ化してその電圧を検出してもよい。
【手続補正６】
【補正対象書類名】明細書
【補正対象項目名】００３０
【補正方法】変更
【補正の内容】
【００３０】
（実施の形態６）
図７は実施の形態６における蓄電装置の構成図である。実施の形態１ との相違点は、蓄電素子１の電圧が設定した基準電圧を超えたとき、異常信号を出力する異常信号発生回路１６を設けた構成である。これにより、異常が生じて蓄電素子１に過電圧がかかると、充電電流を停止あるいは制限させて、蓄電素子１を保護すると同時に、異常信号端子１７に、異常信号を出力し異常状態であることを使用者に知らしめることができるものである。
【手続補正７】
【補正対象書類名】明細書
【補正対象項目名】００３２
【補正方法】変更
【補正の内容】
【００３２】
（実施の形態７）
図８は実施の形態７における蓄電装置の構成図である。実施の形態１ との相違点は、放電抵抗１８と放電スイッチ１９を設けた構成である。すなわち、蓄電素子１である電気二重層コンデンサの電圧が設定した基準電圧を超えたとき、電気二重層コンデンサの破壊を防止するために、放電スイッチ１９を閉成することで、電気二重層コンデンサ全体を放電抵抗１８を介して放電させ、安全に回路を停止することができる構成である。
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
ネットワークに電力を供給する風力発電システムであって、
上記ネットワークに供給される電力の調整を行うための装置を有する複数の風力発電装置を備えていて、
変動する風の状態に起因して変動する上記風力発電装置の有効電力に応じて無効電力を調整することにより、一定の皮相電力が上記ネットワークに常時供給されるように上記電力の調整を行うことを特徴とする風力発電システム。
【請求項２】
上記皮相電力を、Ｓを皮相電力の大きさとし、Ｐを有効電力の大きさとし、Ｑを無効電力の大きさとすれば、次の式
Ｓ＝（Ｐ２＋Ｑ２）１／２
により計算することを特徴とする、請求項１に記載の風力発電システム。
【請求項３】
電力の調整を行うための上記装置が、上記風力発電装置に接続された整流器と、上記整流器に接続された周波数変換器とを備えていて、上記周波数変換器は該周波数変換器に接続されたマイクロプロセッサによって制御されることを特徴とする、請求項２に記載の風力発電システム。
【請求項４】
ネットワークに電力を供給するウィンドパークであって、
変動する風の状態により変動する有効電力を生成する少なくとも１つの風力発電機と、
無効電力供給部と、
上記風力発電機と上記無効電力供給部とに接続され、上記風力発電装置の変動する有効電力に応じて無効電力を調整することにより、上記ネットワークに一定の皮相電力を常時供給する調整装置とを備えていることを特徴とするウィンドパーク。
【請求項５】
上記調整装置が、Ｓを一定の皮相電力の大きさとし、Ｐを有効電力の大きさとし、Ｑを無効電力の大きさとすれば、次の式
Ｓ＝（Ｐ２＋Ｑ２）１／２
により、上記ネットワークに一定の皮相電力を供給することを特徴とする、請求項４に記載のウィンドパーク。
【請求項６】
上記調整装置が、上記少なくとも１つの風力発電機に接続された整流器と、上記整流器の出力部に接続された周波数変換器と、上記周波数変換器の出力部に接続され、かつ上記周波数変換器の制御入力部に接続された出力部を有するマイクロプロセッサとを備えていて、
上記マイクロプロセッサが、有効電力に対して互いに相反的な関係をもつように無効電力を調整することを特徴とする、請求項５に記載のウィンドパーク。
【請求項７】
上記調整装置が、全電力の増加を求める上記ネットワークの要求に応じて、上記ネットワークに対する全電力出力が増加するように有効電力と無効電力とを組み合わせることを特徴とする、請求項６に記載のウィンドパーク。
【請求項８】
上記無効電力供給部が容量性の電力供給部を備えていることを特徴とする、請求項４に記載のウィンドパーク。
【請求項９】
上記無効電力供給部が誘導性の電力供給部を備えていることを特徴とする、請求項４に記載のウィンドパーク。
【請求項１０】
少なくとも１つの風力発電機を有する風力発電装置に接続されたネットワークに一定の皮相電力を供給する方法であって、
風力発電機を設けて、変動する風の状態に応じて変動する有効電力を生成する過程と、
上記風力発電機からの有効電力を整流する過程と、
整流された有効電力を変換する過程と、
無効電力を供給する過程と、
変動する有効電力に応じて無効電力を調整して、一定の皮相電力を上記ネットワークに常時出力する過程とを含むことを特徴とする方法。
【請求項１１】
有効電力に対して互いに相反的な関係をもつように無効電力を調整して皮相電力を一定にすることを特徴とする、請求項１０に記載の方法。
【請求項１２】
上記有効電力及び上記無効電力を、Ｓを皮相電力の大きさとし、Ｐを有効電力の大きさとし、Ｑを無効電力の大きさとすれば、次の式
Ｓ＝（Ｐ２＋Ｑ２）１／２
により調整することを特徴とする、請求項１０に記載の方法。
【請求項１３】
上記調整過程が、全電力の増加を求める上記ネットワークの要求に応じて、上記ネットワークに対する全電力出力が増加するように有効電力と無効電力とを組み合わせる過程を含むことを特徴とする、請求項１０に記載の方法。
【請求項１４】
ネットワークに電力を供給するための風力発電装置で生成された電力を調整する装置であって、
上記風力発電装置に接続され、変動する風の状態に応じて生成された変動する有効電力を受け入れて直流電圧を出力する整流器と、
上記整流器に接続され、上記整流器からの直流電圧を受け入れるとともに、該直流電圧を、ネットワークに出力する交流電圧に変換する周波数変換器と、
上記周波数変換器の出力部に接続され、かつ、上記周波数変換器の制御入力部に接続された出力部を有する制御装置とを備えていて、
上記制御装置は、上記周波数変換器を制御して、上記風力発電装置の変動する有効電力に応じて無効電力を調整することにより一定の皮相電力を上記ネットワークに常時出力し、
上記皮相電力は、整流器の出力部における直流電圧からの有効電力と、無効電力供給部からの無効電力とを含み、
これらの電力は、Ｓを皮相電力の大きさとし、Ｐを有効電力の大きさとし、Ｑを無効電力の大きさとすれば、次の式
Ｓ＝（Ｐ２＋Ｑ２）１／２
を満たすことを特徴とする装置。
【請求項１５】
上記制御装置が、皮相電力Ｓと有効電力Ｐと無効電力係数と電力勾配ｄＰ／ｄｔとを含む入力に応じて電流及び位相を制御するとともに、上記ネットワークに供給される電圧を制御するマイクロプロセッサを備えていることを特徴とする、請求項１４に記載の装置。
【請求項１６】
上記制御装置が、全電圧出力の増加を求める上記ネットワークの要求に応じて、上記ネットワークに対する全電圧出力が増加するよう有効電力と無効電力とを組み合わせることを特徴とする、請求項１４に記載の装置。
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
電力系統における複数の監視制御対象毎に設けられた複数の入出力端末装置にマスター装置から制御指令を与えて監視制御対象を制御する電力系統の監視制御システムにおいて、前記マスター装置が、入出力端末装置への制御出力可否を判断するに必要な情報の取得動作を、当該マスター装置から前記入出力端末装置への制御対象選定通知の時点で開始することを特徴とする電力系統の監視制御システム。
【請求項２】
請求項１に記載の電力系統の監視制御システムにおいて、制御対象に選定された制御対象入出力端末装置を特定する情報を含む前記制御対象選定通知が、制御対象に選定されなかった入出力端末装置にも行われることを特徴とする電力系統の監視制御システム。
【請求項３】
請求項２に記載の電力系統の監視制御システムにおいて、制御対象に選定されなかった入出力端末装置は前記制御対象選定通知により対応監視制御対象に対する制御をブロックすることを特徴とする電力系統の監視制御システム。
【請求項４】
請求項２〜請求項３の何れか一に記載の電力系統の監視制御システムにおいて、前記制御対象選定通知を受けた各入出力端末装置が、制御状態であることを知らせる機能を有していることを特徴とする電力系統の監視制御システム。
【請求項５】
請求項１〜請求項４の何れか一に記載の電力系統の監視制御システムにおいて、入出力端末装置への制御出力可否を判断するに必要な情報の取得動作の前記開始が前記マスター装置から前記各入出力端末装置に対して出される情報送信依頼により行われ、当該情報送信依頼と前記制御対象選定通知とが一の信号に含まれていることを特徴とする電力系統の監視制御システム。
【請求項６】
請求項１〜請求項６の何れか一に記載の電力系統の監視制御システムが、他の監視制御システムにネットワークを介して接続され、他の監視制御システムにネットワークにおける前記情報を当該他の監視制御システムから前記ネットワークを介して収集し、当該情報をすることを前記入出力端末装置への制御出力可否判断の判断材料に使用することを特徴とする電力系統の監視制御システム。
【請求項７】
電力系統における複数の監視制御対象毎に設けられた複数の入出力端末装置にマスター装置から制御指令を与えて監視制御対象を制御する電力系統の監視制御システムにおいて、前記マスター装置が、前記入出力端末装置への制御出力可否を判断するに必要な情報を前記各入出力端末装置に対して要求し、制御対象選定通知を前記各入出力端末装置に対して行うことを特徴とする電力系統の監視制御システム。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
遊技盤に、始動口と、この始動口への入球により取得する乱数に基づく前段抽選の結果を複数の図柄列における図柄更新を伴う変動演出を経て導出する表示装置とを備えた遊技機において、
遊技者操作の受付け許可条件下、前記表示装置における前記各図柄列に対応して図柄更新を起動させる複数の操作スイッチと、
前記表示装置における特定の変動演出中に、前記操作スイッチによる遊技者操作の受付けを許可して、該操作スイッチの操作に基づく図柄更新を複数回許容させる手動更新手段と、
前記表示装置における変動演出の終了時、確定させる図柄の組合せと前記前段抽選の結果とを整合させる演出整合手段とを設けたことを特徴とする遊技機。
【請求項２】
前記前段抽選は、図柄種別と対応づけ且つ遊技者に付与する価値の大きさに高価値と低価値との相対的な差をつけた複数種類の当選種別の峻別を含み、前記演出整合手段は、前記当選種別に応じた図柄の組合せを確定させる仕様をもつ請求項１記載の遊技機。
【請求項３】
前記手動更新手段は、前記前段抽選による前記高価値の当選種別の当選時、前記低価値の当選種別の当選時に比べて、更新後に各図柄列の図柄が同一図柄で全て揃う全図柄揃い停止となる頻度が高い仕様にしている請求項２記載の遊技機。
【請求項４】
前記手動更新手段は、操作された操作スイッチに対応する図柄列と同一の更新前図柄をもつ他の図柄列を同期させて更新する仕様をもつ請求項１〜３何れか一記載の遊技機。
【請求項５】
前記手動更新手段は、操作された操作スイッチに対応する図柄列と同一の更新前図柄をもつ他の図柄列があっても、操作された操作スイッチに対応する図柄列のみを更新させる仕様をもつ請求項２又は３記載の遊技機。
【手続補正２】
【補正対象書類名】明細書
【補正対象項目名】０００１
【補正方法】変更
【補正の内容】
【０００１】
本発明は、パチンコ遊技機、アレンジボール遊技機、じゃん球遊技機等の、所謂大当り抽選等の前段抽選の結果を複数の図柄列における図柄更新を伴う変動演出を経て導出する表示装置を備えた遊技機に関する。
【手続補正３】
【補正対象書類名】明細書
【補正対象項目名】０００５
【補正方法】変更
【補正の内容】
【０００５】
請求項１記載の発明は、図１，２に例示するように、遊技盤２に、始動口８１，８２と、この始動口８１，８２への入球により取得する乱数に基づく前段抽選の結果を複数の図柄列における図柄更新を伴う変動演出を経て導出する表示装置７０とを備えた遊技機において、遊技者操作の受付け許可条件下、前記表示装置７０における前記各図柄列に対応して図柄更新を起動させる複数の操作スイッチ３Ｌ，３Ｃ，３Ｒと、前記表示装置７０における特定の変動演出中に、前記操作スイッチによる遊技者操作の受付けを許可して、該操作スイッチの操作に基づく図柄更新を複数回許容させる手動更新手段Ｔ（図４〜８、図１３，１４）と、前記表示装置７０における変動演出の終了時、確定させる図柄の組合せと前記前段抽選の結果とを整合させる演出整合手段Ｕ（図７のＵ１〜８、図９、図１４のＵ３〜８）とを設けた。図柄列は、左・中・右列の他、上・中・下列等、変動領域や変動態様を互いに区別し得る関係にあるあらゆる変動列を含む。前記特定の変動演出は、例えば所定確率に従う抽選処理等により選択される。
【手続補正４】
【補正対象書類名】明細書
【補正対象項目名】０００６
【補正方法】変更
【補正の内容】
【０００６】
請求項２記載の発明は、前記前段抽選は、図柄種別と対応づけ且つ遊技者に付与する価値の大きさに高価値と低価値との相対的な差をつけた複数種類の当選種別の峻別を含み、前記演出整合手段Ｕは、前記当選種別に応じた図柄の組合せを確定させる仕様をもつ。当選種別には、通常大当り、確変大当りを含む。
【手続補正５】
【補正対象書類名】明細書
【補正対象項目名】０００７
【補正方法】変更
【補正の内容】
【０００７】
請求項３記載の発明は、前記手動更新手段Ｔは、前記前段抽選による前記高価値の当選種別の当選時、前記低価値の当選種別の当選時に比べて、更新後に各図柄列の図柄が同一図柄で全て揃う全図柄揃い停止となる頻度が高い仕様にしている（図７のＷ１〜７、図１４のＷ４〜７）。例えば、図７において、高価値の確変当選の場合は（Ｗ１，Ｗ４）、変動させた図柄を全図柄からランダムに選ぶ図柄で停止させ（Ｗ７）、奇数か偶数かに拘らず一律的に、全図柄が揃う大当り停止を許容している。一方、低価値の通常大当り当選の場合は、非変動側の図柄が通常図柄（偶数）のときに限り（Ｗ２，Ｗ５）、全図柄が揃う大当り停止を許容するが、非変動側の図柄が奇数のときは、その非変動側の図柄以外で停止させ（Ｗ３，Ｗ６）、大当り停止を回避している。
【手続補正６】
【補正対象書類名】明細書
【補正対象項目名】００１２
【補正方法】変更
【補正の内容】
【００１２】
請求項３記載の発明によれば、高価値の当選種別の当選の場合、各図柄列の図柄が同一図柄で全て揃う全図柄揃い停止となり易い一方、低価値の当選種別の当選の場合は、高価値の当選種別の当選時に比べて全図柄揃い停止となり難い傾向があり、当選種別を予測しつつ次にどの操作スイッチを操作すればよいのかの見当もついて、遊技者操作を一層興味深いものにできる。
【手続補正７】
【補正対象書類名】明細書
【補正対象項目名】００４８
【補正方法】変更
【補正の内容】
【００４８】
２；遊技盤、８１，８２；始動口
７０；表示装置
ＣＮ；制御装置、ＭＣ；主制御部、ＳＣ１；第１副制御部
Ｘ；前段抽選手段、Ｔ；手動更新手段、Ｕ；演出整合手段
３Ｌ，３Ｃ，３Ｒ；操作スイッチ
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
所定の遊技球払出条件の成立を契機として遊技球払出信号を出力する払出信号発生装置からの遊技球払出信号に基づいて払出球個数の指定を含む所定の払出制御コマンドを出力する払出制御コマンド出力手段を備えた主制御部と、前記払出制御コマンドに基づいて所定の払出装置制御信号を出力する払出装置制御信号出力手段を備えた払出制御部と、前記払出装置制御信号に基づいて制御される払出用駆動源と、該払出用駆動源により送出部材が駆動され遊技球を払い出す払出装置とを備える遊技機において、
前記主制御部に、所定の払出装置駆動条件の成立および非成立に基づいて出力状態を切り換えて払出許可信号を出力する払出許可信号出力手段を設け、
前記払出制御部の出力側に、前記払出許可信号と前記払出装置制御信号とに基づいて前記払出用駆動源を駆動状態または駆動停止状態に切り換える払出装置駆動切換部を設けたことを特徴とする遊技機。
【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
入力された一連の画像を順次表示する画像表示装置において、
前記一連の画像に含まれる各画像の中から所定の特徴を有する特徴画像領域を検出する領域検出手段と、
前記各画像の全画像領域に対する前記特徴画像領域の占有率を算出し、該算出した各占有率に応じて前記特徴画像領域を有する各特徴画像を前記一連の画像の中から検出する画像検出手段と、
前記画像検出手段によって検出された特徴画像の時系列に連続する連続画像数をもとに前記一連の画像を１以上の画像群に分類する画像分類手段と、
前記画像分類手段によって分類された各画像群の中からあらかじめ指定される少なくとも１つの画像群に含まれる各画像を順次表示する制御を行う表示制御手段と、
を備えたことを特徴とする画像表示装置。
【請求項２】
前記領域検出手段は、前記全画像領域を１以上の小領域に分割し、該小領域ごとに前記特徴画像領域を検出し、
前記画像検出手段は、前記小領域ごとに前記特徴画像領域が検出されたか否かを判断し、前記特徴画像領域が検出された前記小領域の領域数をもとに前記占有率を算出することを特徴とする請求項１に記載の画像表示装置。
【請求項３】
前記画像分類手段は、所定の前記連続画像数以上で連続する各特徴画像を同一の画像群に分類することを特徴とする請求項１または２に記載の画像表示装置。
【請求項４】
前記画像分類手段は、前記所定の連続画像数以上で連続する各特徴画像よりも時系列で前の画像であって特徴画像でない各画像を、前記各特徴画像が分類された画像群とは異なる画像群に分類することを特徴とする請求項３に記載の画像表示装置。
【請求項５】
前記所定の特徴は、主特徴と、該主特徴とは異なる副特徴とを含み、
前記領域検出手段は、前記各画像の中から前記主特徴を有する主特徴画像領域と、前記副特徴を有する副特徴画像領域とを検出し、
前記画像検出手段は、前記各画像の全画像領域に対する前記主特徴画像領域の主特徴占有率を算出するとともに、前記各画像の前記主特徴画像領域に対する前記副特徴画像領域の副特徴占有率を算出し、該算出した主特徴占有率および副特徴占有率に応じて前記主特徴画像領域を有する各特徴画像を前記一連の画像の中から検出することを特徴とする請求項１〜４のいずれか一つに記載の画像表示装置。
【請求項６】
前記所定の特徴は、互いに異なる複数の特徴を有し、
前記領域検出手段は、前記各画像の中から各特徴を有する特徴画像領域を検出し、
前記画像検出手段は、前記各画像の前記各特徴を有する特徴画像領域の前記占有率を算出し、該算出した各占有率に応じて前記複数の特徴毎に各特徴画像を検出し、
前記画像分類手段は、前記複数の特徴毎の前記連続画像数をもとに前記一連の画像を該複数の特徴毎の画像群に分類することを特徴とする請求項１〜５のいずれか一つに記載の画像表示装置。
【請求項７】
前記各画像群の中から少なくとも１つの画像群を指定する指定情報を受け付ける入力手段を備え、
前記表示制御手段は、前記指定情報により指定される画像群に含まれる各画像を順次表示する制御を行うことを特徴とする請求項１〜６のいずれか一つに記載の画像表示装置。
【請求項８】
前記各画像は、消化器官の内部を撮像した画像であり、
前記所定の特徴は、小腸および大腸の少なくとも一方を特定する腸内特徴であり、
前記画像分類手段は、前記一連の画像を小腸および大腸の少なくとも一方を撮像した画像群に分類することを特徴とする請求項１〜７のいずれか一つに記載の画像表示装置。
【請求項９】
前記各画像は、胃および小腸の内部を撮像した画像であり、
前記所定の特徴は、小腸を特定する腸内特徴であり、
前記画像分類手段は、小腸を撮像した画像よりも時系列で前の各画像を、胃を撮像した画像群として分類することを特徴とする請求項１〜８のいずれか一つに記載の画像表示装置。
【請求項１０】
前記腸内特徴は、粘膜、該粘膜の表面上の絨毛および便の少なくとも１つであることを特徴とする請求項８または９に記載の画像表示装置。
【請求項１１】
前記一連の画像は、カプセル型内視鏡を用いて生成されることを特徴とする請求項１〜１０のいずれか一つに記載の画像表示装置。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
遊技機ホールのパチンコ機用島設備に設置される外枠と、その外枠の前側にヒンジ機構によって開閉可能に装着された合成樹脂製の本体枠と、その本体枠の略中央部に装着されかつ機械式図柄回転装置を有する遊技ユニットと、前記本体枠の前側に開閉可能に装着されかつ前記機械式図柄回転装置を透視可能な開口窓を有する開閉扉と、遊技機の前側に設けられかつ多数個のパチンコ球を保留する球受け皿と、を備え、
前側に、前記球受け皿に保留されているパチンコ球を所定数投入する球投入ボタンと、前記機械式図柄回転装置の複数の図柄表示回転体の回転を始動する始動レバーと、前記機械式図柄回転装置の複数の図柄表示回転体の回転をそれぞれ個別に停止させる複数のストップボタンと、がそれぞれ手動操作可能に配置され、
前記開閉扉の開口窓を透して視認される前記複数の図柄表示回転体の表示部が予め設定された当たり図柄列を表示して停止したときに所定数のパチンコ球が球払出装置によって前記球受け皿に払い出されるように構成された遊技機において、
前記遊技ユニットは、回転体収納フレームの内部に回転可能に装着されかつ円形リールよりなる複数の図柄表示回転体が横方向に配列されて構成された機械式図柄回転装置と、
前記回転体収納フレームの外側に装着され、かつ前記機械式図柄回転装置を制御する制御基板を有する制御基板ボックスと、を少なくとも備えるとともに、
前記機械式図柄回転装置、前記制御基板ボックスを含む前記遊技ユニットの構成装置、構成部材のほとんどが、前方に開口する箱形状の収納ボックスの内部に収納されて一つにユニット化され、
前記本体枠の遊技ユニット装着部の前側開口から前記遊技ユニットが、その収納ボックスにおいて嵌込まれて装着された状態において、遊技機の最後端位置が前記遊技ユニット装着部の後端又はその近傍に存在するように、前記遊技ユニット装着部の後端と略同じ位置に前記収納ボックスの後端位置が設定されていることを特徴とする遊技機における遊技ユニット。